(57)【要約】ビデオデータ信号のシーケンスを記録担体に記録する装置が提案されている。当該装置は、ビデオデータ信号を受信する入力手段（１）と、特徴ポイント情報信号を生成する生成手段（１００）と、複数の特徴ポイントの前記特徴ポイント情報信号を特徴ポイント情報信号のシーケンスに処理する処理手段（１００）と、前記ビデオデータ信号のシーケンスと前記特徴ポイント情報信号のシーケンスを前記記録担体に書き込む書き込み手段（１０２）とを有する。前記特徴ポイント情報信号はビデオデータ信号のシーケンスの特徴ポイントを特定する。トリックプレイとランダムアクセス再生動作の質を向上することを目的として、CPIに関して様々な方法が提案されている。
2005516555.tif 000002
【特許請求の範囲】
【請求項１】
記録担体にビデオデータ信号のシーケンスを記録する装置であって、
前記ビデオデータ信号のシーケンスは、他のピクチャを参照せずに符号化されたイントラピクチャタイプのピクチャと、他のピクチャを参照して符号化されたインターピクチャタイプのピクチャとを有し、
前記装置は、
−ビデオデータ信号を受信する入力手段と、
−特徴ポイント情報信号を生成する生成手段であって、前記特徴ポイント情報信号は前記ビデオデータ信号のシーケンスの特徴ポイントを特定し、前記特徴ポイントは前記イントラピクチャタイプのピクチャおよび前記インターピクチャタイプのピクチャから選択されたピクチャに関係づけられ、前記特徴ポイント情報信号は情報のブロックを有し、ここで前記情報のブロックは、
−前記ビデオデータ信号のシーケンスにおける前記特徴ポイントの位置を定める位置データと、
−前記特徴ポイントを特定する特定データとを有することを特徴とする生成手段と、
−複数の特徴ポイントの前記特徴ポイント情報信号を特徴ポイント情報信号のシーケンスに処理する処理手段と、
−前記ビデオデータ信号のシーケンスと前記特徴ポイント情報信号のシーケンスを前記記録担体に書き込む書き込み手段とを有し、
前記生成手段は、前記特徴ポイント情報信号を生成するように設計され、前記特徴ポイント情報信号の前記特定データはシーケンスヘッダの有無に関係付けられた情報を有し、前記シーケンスヘッダは前記ビデオデータ信号のシーケンスの符号化パラメータを定めることを特徴とする装置。
【請求項２】
請求項１に記載の装置であって、前記生成手段は前記特徴ポイント情報を生成するように設計され、前記特徴ポイント情報の前記特定データは次の条件：
−前記ピクチャはイントラピクチャタイプであり、前記シーケンスヘッダに先行されている、
−前記ピクチャは前記シーケンスヘッダを伴わないイントラピクチャタイプである、または、
−前記ピクチャは前記インターピクチャタイプであり、前記シーケンスヘッダに先行されている、
の１つに関係付けられた情報を有する装置。
【請求項３】
請求項１または２に記載の装置であって、前記生成手段は前記特徴ポイント情報を生成するように設計され、前記特定データは前記符号化パラメータの変更に関係づけられた情報を有することを特徴とする装置。
【請求項４】
請求項１ないし３いずれか一項に記載の装置であって、前記記録担体は円盤形状の光記録担体であり、
前記書き込み手段は光読み出し／書き込みヘッドと、前記光読み出し／書き込みヘッドを位置決めする位置決め手段と、前記記録担体を回転させる駆動手段を有することを特徴とする装置。
【請求項５】
他のピクチャを参照せずに符号化されたイントラピクチャタイプのピクチャと、他のピクチャを参照して符号化されたインターピクチャタイプのピクチャを有するビデオデータ信号のシーケンスを再生する装置であって、複数の特徴ポイントの特徴ポイント情報信号を有する対応する特徴ポイント情報信号のシーケンスを前記ビデオデータ信号のシーケンスのために使用することができ、前記特徴ポイント情報信号は前記ビデオデータ信号のシーケンス中の特徴ポイントを特定し、前記特徴ポイントは前記イントラピクチャタイプのピクチャと前記インターピクチャタイプのピクチャから選択された１つのピクチャに関係付けられ、前記特徴ポイント情報信号は：
−前記ビデオデータ信号のシーケンスの前記特徴ポイントの位置を定める位置データと、
−前記特徴ポイントを特定する特定データと
を有するブロック情報を有し、
前記装置は、
−前記ビデオデータ信号のシーケンスと前記特徴ポイント情報信号の対応するシーケンスを受信する入力手段と、
−前記特徴ポイント情報信号のシーケンスから前記情報ブロックを抽出する抽出手段と、
−前記情報ブロックを用いて前記ビデオデータ信号のシーケンスをビデオデータ信号に処理する処理手段と
を有し、
−前記抽出手段はシーケンスヘッダの有無に関係付けられた情報を有する前記特定データを検索するように設計され、前記シーケンスヘッダは前記ビデオデータ信号のシーケンスの符号化パラメータを定める情報を有し、
−前記処理手段は前記シーケンスヘッダの有無に関係付けられた情報を使用するように設計されたことを特徴とする装置。
【請求項６】
請求項５に記載の装置であって、
−前記抽出手段は前記特定データを検索するように設計され、前記特定データはさらに次の条件：
−前記ピクチャはイントラピクチャタイプであり、前記シーケンスヘッダに先行されている、
−前記ピクチャは前記シーケンスヘッダを伴わないイントラピクチャタイプである、または、
−前記ピクチャは前記インターピクチャタイプであり、前記シーケンスヘッダに先行されている、
の１つに関係付けられた情報をさらに有し、
−前記処理手段はこれら条件に関係付けられた情報を使用するように設計されたことを特徴とする装置。
【請求項７】
請求項５または６に記載の装置であって、
−前記抽出手段は前記符号化パラメータの変化に関係付けられた情報を有する前記特定データを検索するように設計され、
−前記処理手段は前記符号化パラメータの変更に関係付けられた情報を使用するように設計されたことを特徴とする装置。
【請求項８】
請求項５ないし７いずれか一項に記載の装置であって、前記入力手段は記録担体から前記ビデオデータ信号のシーケンスと前記特徴ポイント情報信号の対応するシーケンスを受信するように設計されたことを特徴とする装置。
【請求項９】
請求項８に記載の装置であって、前記入力手段は円盤形状の光記録担体から前記ビデオデータ信号のシーケンスと前記特徴ポイント情報信号の対応するシーケンスを受信するように設計されたことを特徴とする装置。
【請求項１０】
他のピクチャを参照せずに符号化されたイントラピクチャタイプのピクチャと、他のピクチャを参照して符号化されたインターピクチャタイプのピクチャを有するビデオデータ信号のシーケンスに特徴ポイントに関する情報信号のシーケンスを生成する方法であって、
前記イントラピクチャタイプのピクチャと前記インターピクチャタイプのピクチャから選択された１のピクチャに関係付けられた特徴ポイントのために情報ブロックが生成され、
前記情報ブロックは、
−前記ビデオデータ信号のシーケンスの前記特徴ポイントの位置を定める位置データと、
−前記特徴ポイントを特定する特定データとを有し、
前記方法は、前記情報ブロックがシーケンスヘッダの有無に関係付けられた情報を前記特定データ内に有し、前記シーケンスヘッダは前記ビデオデータ信号のシーケンスの符号化パラメータを定める情報を有することを特徴とする方法。
【請求項１１】
請求項１０に記載の方法であって、前記情報ブロックは前記特定データ内に次の条件：
−前記ピクチャはイントラピクチャタイプであり、前記シーケンスヘッダに先行されている、
−前記ピクチャは前記シーケンスヘッダを伴わないイントラピクチャタイプである、または、
−前記ピクチャは前記インターピクチャタイプであり、前記シーケンスヘッダに先行されている、
の１つに関係付けられた情報を有することを特徴とする方法。
【請求項１２】
請求項１０または１１に記載の方法であって、前記情報ブロックは前記特定データ内に前記符号化パラメータの変化に関係付けられた情報を有することを特徴とする方法。
【請求項１３】
ビデオデータ信号のシーケンスを有する記録担体であって、
前記ビデオデータ信号のシーケンスは、他のピクチャを参照せずに符号化されたイントラピクチャタイプのピクチャと、他のピクチャを参照して符号化されたインターピクチャタイプのピクチャを有し、
前記記録担体は、前記ビデオデータ信号のシーケンスのために
複数の特徴ポイントの特徴ポイント情報信号を有する対応する特徴ポイント情報信号のシーケンスをさらに有し、
前記特徴ポイント情報信号は前記ビデオデータ信号のシーケンス中の特徴ポイントを特定し、
前記特徴ポイントは前記イントラピクチャタイプのピクチャと前記インターピクチャタイプのピクチャから選択された１つのピクチャに関係付けられ、
前記特徴ポイント情報信号は、
−前記ビデオデータ信号のシーケンスの前記特徴ポイントの位置を定める位置データと、
−前記特徴ポイントを特定する特定データとを有するブロック情報を有し、
前記特定データはシーケンスヘッダの有無に関係付けられた制御情報を有し、前記シーケンスヘッダは前記ビデオ信号のシーケンスの符号化パラメータを定める情報を有することを特徴とする記録担体。
【請求項１４】
請求項１３に記載の記録担体であって、前記特定データはさらに次の条件：
−前記ピクチャはイントラピクチャタイプであり、前記シーケンスヘッダに先行されている、
−前記ピクチャは前記シーケンスヘッダを伴わないイントラピクチャタイプである、または、
−前記ピクチャは前記インターピクチャタイプであり、前記シーケンスヘッダに先行されている、
の１つに関係付けられた制御情報を有することを特徴とする記録担体。
【請求項１５】
請求項１３または１４に記載の記録担体であって、前記特定データは前記符号化パラメータの変化に関係付けられた制御情報を有することを特徴とする記録担体。
【発明の詳細な説明】
【技術分野】
【０００１】
本発明は、記録担体にビデオデータ信号のシーケンスを記録する装置に関する。ここで、ビデオデータ信号のシーケンスは、他のピクチャを参照せずに符号化されたタイプのイントラピクチャタイプのピクチャと、他のピクチャを参照して符号化されたタイプのインターピクチャタイプのピクチャとを有する。また、当該装置は、
−ビデオデータ信号を受信する入力手段と、
−特徴ポイント情報信号を生成する生成手段であって、前記特徴ポイント情報信号は前記ビデオデータ信号のシーケンスの特徴ポイントを特定し、前記特徴ポイントは前記イントラピクチャタイプのピクチャおよび前記インターピクチャタイプのピクチャから選択されたピクチャに関係し、前記特徴ポイント情報信号は情報のブロックを有し、ここで前記情報のブロックは：
−前記ビデオデータ信号のシーケンスにおける前記特徴ポイントの一を定める位置データと、
−前記特徴ポイントを特定する特定データとを有する生成手段と、
−複数の特徴ポイントの前記特徴ポイント情報信号を特徴ポイント情報信号のシーケンスに処理する処理手段と、
−前記ビデオデータ信号のシーケンスと前記特徴ポイント情報信号のシーケンスを前記記録担体に書き込む書き込み手段とを有する。
【０００２】
本発明はさらに、他のピクチャを参照せずに符号化されたイントラピクチャタイプのピクチャと、他のピクチャを参照して符号化されたインターピクチャタイプのピクチャを有するビデオデータ信号のシーケンスを再生する装置であって、複数の特徴ポイントの特徴ポイント情報信号を有する対応する特徴ポイント情報信号のシーケンスを前記ビデオデータ信号のシーケンスのために使用して、前記特徴ポイント情報信号は前記ビデオデータ信号のシーケンス中の特徴ポイントを特定し、前記特徴ポイントは前記イントラピクチャタイプのピクチャと前記インターピクチャタイプのピクチャから選択された１つのピクチャに関係付けられ、前記特徴ポイント情報信号は：
−前記ビデオデータ信号のシーケンスの前記特徴ポイントの位置を定める位置データと、
−前記特徴ポイントを特定する特定データとを有するブロック情報を有し、
前記装置は、
−前記ビデオデータ信号のシーケンスと前記特徴ポイント情報信号の対応するシーケンスを受信する入力手段と、
−前記特徴ポイント情報信号のシーケンスから前記情報ブロックを抽出する抽出手段と、
−前記情報ブロックを用いて前記ビデオデータ信号のシーケンスをビデオデータ信号に処理する処理手段とを有する装置に関する。
【０００３】
また、本発明は、他のピクチャを参照せずに符号化されたイントラピクチャタイプのピクチャと、他のピクチャを参照して符号化されたインターピクチャタイプのピクチャを有するビデオデータ信号のシーケンスに特徴ポイントに関する情報信号のシーケンスを生成する方法であって、
前記イントラピクチャタイプのピクチャと前記インターピクチャタイプのピクチャから選択された１のピクチャに関係付けられた特徴ポイントのために情報ブロックが生成され、
前記情報ブロックは：
−前記ビデオデータ信号のシーケンスの前記特徴ポイントの位置を定める位置データと、
−前記特徴ポイントを特定する特定データを有する方法に関する。
【０００４】
さらにまた、本発明は、ビデオデータ信号のシーケンスを有する記録担体であって、
前記ビデオデータ信号のシーケンスは、他のピクチャを参照せずに符号化されたイントラピクチャタイプのピクチャと、他のピクチャを参照して符号化されたインターピクチャタイプのピクチャを有し、
前記記録担体は、前記ビデオデータ信号のシーケンスのために
複数の特徴ポイントの特徴ポイント情報信号を有する対応する特徴ポイント情報信号のシーケンスをさらに有し、
前記特徴ポイント情報信号は前記ビデオデータ信号のシーケンス中の特徴ポイントを特定し、
前記特徴ポイントは前記イントラピクチャタイプのピクチャと前記インターピクチャタイプのピクチャから選択された１つのピクチャに関係付けられ、
前記特徴ポイント情報信号は：
−前記ビデオデータ信号のシーケンスの前記特徴ポイントの位置を定める位置データと、
−前記特徴ポイントを特定する特定データと
を有するブロック情報を有する記録担体に関する。
【背景技術】
【０００５】
DVD+RWやDVD-RW等の大容量再書き込み可能媒体の開発により、フルモーションビデオデータを記憶およびアクセスするユニークな技術が可能となった。このデータは、大きな記憶容量を必要とするので、必要な記憶容量を削減するため様々なビデオ圧縮アルゴリズムが使用されている。一般に、これらのアルゴリズムは、インターピクチャ圧縮と呼ばれるコンセプトを使用する。このインターピクチャ圧縮は、データファイルの連続するピクチャ間の違いだけを記憶することを含む。インターピクチャ圧縮は、キーピクチャまたは基準ピクチャの全画像を、一般的には適度に圧縮されたフォーマットで記憶する。連続するピクチャはキーピクチャと比較され、キーピクチャと連続するピクチャの間の違いだけが記憶される。定期的に、例えば新しいシーンが表示されたときに、新しいキーピクチャが記憶され、その後の比較はこの新しい基準ポイントから始まる。
【０００６】
MPEG(Moving  Pictures  Experts  Group)圧縮と呼ばれる圧縮標準は、上で説明したインターピクチャ圧縮技術を用いるフルモーションビデオピクチャの圧縮と解凍の方法のセットである。キーとなるイントラピクチャはIピクチャ２３と呼ばれる。インターピクチャは２つのグループに分けられる。Pピクチャ２５と呼ばれる過去の参照エレメントだけを用いて符号化されたインターピクチャと、Bピクチャ２４と呼ばれる過去と未来の参照エレメントを用いて符号化されたインターピクチャである。
【０００７】
はじめのパラグラフで説明した方法の実施形態は、公開された国際出願WO00/28544から知ることができる。この国際出願は、ビデオデータのシーケンスにおいてIピクチャとPピクチャにおいてどのようにポインタを抽出するかを教示している。これらのポインタに関する情報は、特徴ポイント情報のシーケンスを構成する。これらはCPIとも呼ばれる。
【０００８】
一般に、CPIは、シーケンスそのものを読み込んだり分析したりすることなくビデオデータのシーケンスの関連するデータエレメントの位置を決定するために使用される。これは、ユーザがビデオデータのシーケンスの特定の時間位置で再生を始めたいとき、早送り再生や早戻し再生等のトリックプレイ動作などや、ランダムアクセス再生などのいくつかの異なったシステム動作を制御するために重要である。
【０００９】
WO00/28544で開示されている方法は、自己符号化されたビデオデータのシーケンスを前提としたものである。すなわち、MPEGデータの制限されたフォーマットを用いて対応するCPIを生成する同一の機器により符号化されたシーケンスを前提としたものである。デジタルTV放送または外部で符号化されたビデオデータの他のシーケンスでは、制限のより少ないMPEG符号化フォーマットが使用される。
【００１０】
特に、ビデオデータのMPEGシーケンスにおいて、ビデオデータの圧縮（解凍）で用いられる符号化パラメータを含むシーケンスのパラメータを定める、数量化マトリックス等のシーケンスヘッダがある。シーケンスヘッダはMPEGシーケンスのはじめにあり、シーケンスを通して繰り返されてもよい。典型的には、シーケンスヘッダはすべてのIピクチャの前に繰り返される。シーケンスヘッダが繰り返されるとき、数量化マトリックスのみが変更されてもよい。しかし、編集が可能なシステムにおいては、編集ポイントにおいて他のシーケンスヘッダパラメータを変化させることも可能である。
【００１１】
既知の方法によると、MPEGシーケンスの特定のIピクチャの開始および終了ポイントを特定する。これらのポイントは、それぞれI_startおよびI_endと呼ばれる。シーケンスは自己符号化されているので、すべてのIピクチャはシーケンスヘッダに続き、それゆえすべてのIピクチャはエントリポイントであると仮定されていた。すなわち、デコーダはいかなるIピクチャからでも復号を開始でき、正しく復号できる。しかし、デジタルTV記録の場合、Iピクチャは必ずしもシーケンスヘッダの後に来るとは限らない。デコーダが、その前のシーケンスヘッダを見ることなくそのようなIピクチャの復号を試みた場合、もし符号化パラメータが変化していたとき、間違った符号化パラメータを使用してしまう。例えば、間違った数量化マトリックスや、編集ポイントの後には間違った他のパラメータを使用してしまう。それゆえ、デジタルTV記録においては、I_start／I_endのCPIポイントは、シーケンスヘッダを有するIピクチャのみを指すことができる。
【００１２】
デジタルTV放送のランダムアクセスを許容するため、シーケンスヘッダはシーケンス中で非常に頻繁に繰り返さなければならないが、しかし高い品質のトリックプレイを許容するほど繰り返しレートが高くないこともありうる。１つの例はシーケンスヘッダを５秒ごとに繰り返す放送記録である。シーケンスヘッダを有するIピクチャのポインタのみがCPIに含まれ、Iピクチャのみのトリックプレイが毎秒５ピクチャで実行されるとき、最小のトリックプレイスピードは通常の再生スピードの２５倍に制限される。
【発明の開示】
【発明が解決しようとする課題】
【００１３】
本発明の第１の目的は、最初のパラグラフに記載したタイプのビデオデータ信号のシーケンスを記録する、高い品質のトリックプレイとランダムアクセス再生を実行可能とする新しいタイプのCPIを生成し記録できる装置を提供することである。
【００１４】
本発明の第２の目的は、最初のパラグラフに記載したタイプのビデオデータ信号のシーケンスを再生する、新しいタイプのCPIを受信し処理でき、高い品質のトリックプレイとランダムアクセス再生が可能な装置を提供することである。
【００１５】
本発明の第３の目的は、最初のパラグラフに記載したタイプの、高い品質のトリックプレイとランダムアクセス再生を可能とする新しいタイプのCPIを生成するのに適用できる方法を提供することである。
【００１６】
本発明の第４の目的は、最初のパラグラフに記載したタイプの、再生装置に高い品質のトリックプレイとランダムアクセス再生を実行させる制御情報を含む、新しいタイプのCPIを有する記録担体を提供することである。
【課題を解決するための手段】
【００１７】
第１の目的は、本発明によれば、前記生成手段が前記特徴ポイント情報信号を生成するように設計されていることに特徴を有する記録装置により実現される。前記記録装置においては、前記特定データは、シーケンスヘッダの有無に関係付けられた情報を有し、前記シーケンスヘッダは前記ビデオデータ信号のシーケンスの符号化パラメータを定める情報を有する。
【００１８】
本発明の実施形態は、生成されたCPIはMPEGシーケンスからのすべてのIピクチャ２３を含んでもよいという点で有利である。これにより、ランダムアクセス再生またはトリックプレイを実行している間に、デコーダが常に、すなわちシーケンスが自己符号化されたものであるか否かに係らず、符号化パラメータがどこにあるかを知ることができることを確からしめる。
【００１９】
前記記録装置の一実施形態は、前記生成手段が前記特徴ポイント情報を生成するように設計されており、前記特定データは次の条件：
−前記ピクチャはイントラピクチャタイプであり、前記シーケンスヘッダに先行されている、
−前記ピクチャは前記シーケンスヘッダを伴わないイントラピクチャタイプである、または、
−前記ピクチャは前記インターピクチャタイプであり、前記シーケンスヘッダに先行されている、
の１つに関係付けられた情報を有することを特徴とする。
【００２０】
この実施形態は、生成されたCPIがPピクチャ２５と関連した必要なだけ多くのエントリを含んでもよいという点で有利であり、これによりトリックプレイの性能が徹底的に向上する。
【００２１】
前記記録装置のさらに別の実施形態は、本発明によれば、前記生成手段は前記特徴ポイント情報を生成するように設計され、前記特定データは前記符号化パラメータの変更に関係づけられた情報を有することを特徴とする。
【００２２】
この実施形態は、この情報を含む生成されたCPIがデコーダの性能を大きく向上させる点で有利である。トリックプレイの間、、符号化パラメータに変化がなく、後続のPピクチャを含めることができるとき、特定のIピクチャからのシーケンスヘッダは読まれる必要がない。リバーストリックプレイについて、符号化パラメータ中の変化は、先行するIピクチャが異なるシーケンスヘッダを使用することを示す。それゆえ、先行するIピクチャからのシーケンスヘッダは、Pピクチャが復号される前に読まれなければならない。
【００２３】
第２の目的は、本発明によれば、前記抽出手段は、シーケンスヘッダの有無に関係付けられた情報を有する前記特定データを検索するように設計されていることを特徴とする再生装置により実現される。前記シーケンスヘッダは、前記ビデオデータ信号のシーケンスの符号化パラメータを定める情報を有し、前記処理手段は前記シーケンスヘッダの有無に関係付けられた情報を使用するように設計されていることを特徴とする。
【００２４】
この装置は、トリックプレイ等のシステム動作の間に、より多くのピクチャをプレゼンテーションに利用可能である点で有利である。また、本発明は、ランダムアクセス再生で用いられるエントリポイントの数を増やすことができる。さらに、本発明によると、デコーダは符号化パラメータがどこにあるか分かるので、CPIエントリに関係付けられたすべてのピクチャの適当な復号が可能となる。
【００２５】
再生装置の一実施形態は、本発明によれば、
−前記抽出手段は前記特定データを検索するように設計され、前記特定データはさらに次の条件：
−前記ピクチャはイントラピクチャタイプであり、前記シーケンスヘッダに先行され、
−前記ピクチャは前記シーケンスヘッダを伴わないイントラピクチャタイプであり、または、
−前記ピクチャは前記インターピクチャタイプであり、前記シーケンスヘッダに先行されている、
の１つに関係付けられた情報をさらに有し、
−前記処理手段はこれら条件に関係付けられた情報を使用するように設計されたことを特徴とする。この実施形態は、Pピクチャに関連づけられたCPIの追加エントリの使用により、スムースなマルチスピードのトリックプレイを容易にするという点で有利である。
【００２６】
再生装置のさらに別の実施形態は、本発明によれば、
−前記抽出手段は前記符号化パラメータの変化に関係付けられた情報を有する前記特定データを検索するように設計され、
−前記処理手段は前記符号化パラメータの変更に関係付けられた情報を使用するように設計されたことを特徴とする。この実施形態は、ピクチャを復号するのに必要な時間を削減することによりデコーダの性能を向上させるという点で有利である。
【００２７】
第３の目的は、本発明によれば、シーケンスヘッダの有無に関係付けられた情報を前記特定データ内に有するように情報ブロックが生成されることを特徴とする方法により実現される。シーケンスヘッダは、前記ビデオデータ信号のシーケンスの符号化パラメータを定める情報を有する。
【００２８】
第４の目的は、本発明によれば、前記特定データがシーケンスヘッダの有無に関係付けられた制御情報を有することを特徴とする記録担体により実現される。前記シーケンスヘッダは前記ビデオデータ信号のシーケンスの符号化パラメータを定める情報を有する。
【発明を実施するための最良の形態】
【００２９】
図１は、本発明によるビデオデータ信号のシーケンスを記録する装置の一実施形態を示す。当該装置は、ビデオデータ信号を受信する受信端子１と、ビデオデータ信号処理部１００とを有する。信号処理部１００は入力端子１を介してビデオデータ信号を受信し、記録担体３に記録するためにビデオデータ信号を処理し、ビデオデータ信号のシーケンスにする。さらに、読み出し／書き込み部１０２が利用可能である。この読み出し／書き込み部１０２は読み出し／書き込みヘッド１０４を有する。この読み出し／書き込みヘッド１０４はこの例においては、記録担体３から／にビデオデータ信号のシーケンスと対応するCPIとを読み出す／書き込む光読み出し／書き込みヘッドである。さらに、位置づけ手段１０６が、記録担体３にわたる半径方向でヘッド１０４を位置づけするためにある。読み出し／書き込みアンプ１０８は、記録する信号を増幅し、記録担体３から読み出された信号を増幅するためにある。モータ１１０は、モータ制御信号生成部１１２により供給されたモータ制御信号に応じて記録担体３を回転させるために利用される。マイクロプロセッサ１１４は、制御線１１６、１１８、および１２０を介してすべての回路を制御するためにある。
【００３０】
信号処理部１００は、ビデオデータ信号のシーケンスのために対応するCPIを生成するようにさらに適合している。その目的のため、信号処理部１００は、一例として、ビデオデータ信号のシーケンスにおいてIピクチャの位置を特定できる。また、ビデオデータ信号のシーケンス内のシーケンスヘッダの有無を検出することもできる。さらに、信号処理部１００は、図２の例により示されるとおり、このIピクチャに対応する特徴ポイントの情報ブロックを生成することもできる。この例において、情報ブロックは４バイトの長さを持ち、１ビットのシーケンスヘッダ有無インジケータ４１（SHI）、特定のピクチャが表示されるべきときにビデオデータのシーケンスが表示される時間を特定する１３ビットのプレゼンテーションタイムスタンプ４２（PTS）、特徴ポイントがあるビデオデータのシーケンス中のアドレスを特定する１８ビットのソースパケットナンバ（SPN）４３をもっている。
【００３１】
CPIは、ビデオデータ信号を処理しビデオデータ信号のシーケンスにする。その後、記録担体３への記録が完了するまで、一時的にメモリ１３２に記憶することができる。次に、メモリ１３２に記憶されたCPIは記録担体３に記録されることができる。
【００３２】
本発明によるビデオデータ信号のシーケンスを記録する装置の他の実施形態は、読み出し／書き込みユニット１０２を固体メモリタイプの記録担体から／にビデオデータ信号のシーケンスと対応するCPIとを読み出し／書き込みするように適合させることにより実現される。
【００３３】
本発明によるビデオデータ信号のシーケンスを記録する装置のさらに別の実施形態は、ビデオデータ信号のシーケンス内のシーケンスヘッダの検出と組み合わせて、信号処理部１００をIピクチャ２３とPピクチャ２５の特定を容易にするように適合させることにより実現される。さらに、信号処理部１００は、図３の例により示したように、特徴ポイントのための情報ブロックを生成することができる。この例において、情報ブロックは、４バイトの長さで、２ビットのピクチャタイプインジケータ４４（TYP）、１２ビットのPTS４２、および１８ビットのSPN４３よりなる。
【００３４】
この実施形態により生成されたCPIは、それぞれプライマリエントリポイント、セカンダリエントリポイント、およびディペンデントエントリポイントと呼ばれる３つの新しいエントリタイプを含む。プライマリエントリポイントは、デコーダがビデオのシーケンスにおいて前のいかなるも参照せずに復号を開始できるポイントである。セカンダリエントリポイントとは、前のプライマリエントリポイントに対応するピクチャが復号される限り復号を開始できるポイントである。ディペンデントエントリポイントは、３つのタイプのいずれであっても、前のCPIに対応するピクチャが復号された場合に、対応するピクチャを復号することができるポイントである。
【００３５】
これらのポイントは、従属する部分を有する他のビデオ符号化方法に適用することができることを強調するため、MPEGを参照せずに定義される。
【００３６】
MPEGビデオへのマッピングは次のとおりである。プライマリエントリポイント−シーケンスヘッダに先行されたIピクチャに関連するポイント、セカンダリエントリポイント−Iピクチャのいずれかに関連したポイント（しかし典型的には、シーケンスヘッダ無しでIピクチャに使用されるだけである）、ディペンデントポイント−Pピクチャに関連したポイント。
【００３７】
本発明によるビデオデータ信号のシーケンスを記録する装置の次の実施形態は、信号処理部１００を連続するシーケンスヘッダ間の符号化パラメータ内の変化を検出するために適合させることにより実現される。さらに、信号処理部１００は、図４の例に示したとおり、特徴ポイントの情報ブロックを生成することができる。この例において、情報ブロックは、４バイトの長さを持ち、２ビットのTYP４４、１ビットの符号化パラメータ変化インジケータ４５（CPC）、１２ビットのPTS４２および１７ビットのSPN４３をもつ。
【００３８】
ビデオデータ信号のシーケンスを記録する装置のさらに別の実施形態は、ユーザからコマンドを受信する入力部１３０を提供することにより実現できる。そのようなコマンドは、例えばビデオデータ信号のシーケンス内の特徴ポイントを特定する記録コマンドの形であることができる。
【００３９】
図５は、本発明による記録担体３からビデオデータ信号のシーケンスを再生する装置の一実施形態を示す。当該装置は、読み出し部３０２、信号処理部３００、ビデオデータ信号を出力する出力端子２０２とを有する。読み出し部３０２は、読み出しヘッド３０４を有する。読み出しヘッド３０４は、この例において、記録担体３からビデオデータ信号のシーケンスを読み出す光読み出しヘッドである。信号処理部３００は、読み出し部３０２からビデオデータ信号のシーケンスを受信し、そのビデオデータ信号のシーケンスをビデオデータ信号に処理する。さらに、位置決め手段３０６は、記録担体３にわたる半径方向でヘッド３０４を位置決めするためにある。読み出しアンプ３０８は、記録担体３から読み出した信号を増幅するためにある。モータ３１０は、モータ制御信号生成部３１２により供給されるモータ制御信号に応じて記録担体３を回転させるために利用される。マイクロプロセッサ３１４は、制御線３１６、３１８、３２０を介してすべての回路を制御するためにある。
【００４０】
信号処理部３００は、ビデオデータ信号のシーケンスをビデオデータ信号に変換するように適合されている。このビデオデータ信号は、図には示されていない他の装置（例えばテレビセット）または他の処理ユニットに出力することができる。さらに、読出し部３０２は、記録担体３からCPIを読み出すように適合している。信号処理部３００は読み出し部３０２からCPIを受信し、図２に示したようなビデオデータ信号のシーケンス内の特徴ポイントに関係付けられた情報ブロックを抽出するようにさらに適合している。
【００４１】
当該装置はユーザからのコマンドを受信する入力部３３０をさらに備えている。そのようなコマンドは、例えば、再生を開始すべきビデオデータ信号のシーケンス内のポイントを特定する、異なった再生コマンドの形であってもよい。その目的のため、処理部３００は、一例として、シーケンスヘッダを伴うIピクチャの位置を見つけることができる。
【００４２】
CPIはメモリ３３２に記録できる。
【００４３】
ビデオデータ信号のシーケンスを再生する装置のさらに別の実施形態は、信号処理部３００を図３に示したタイプの情報ブロックに含まれる情報を処理するように適合させることにより実現される。これにより、Pピクチャに関連したCPIの追加エントリを使用することにより当該装置のスムースなマルチスピードトリックプレイ動作が容易となる。
【００４４】
本発明によるビデオデータ信号のシーケンスを再生する装置の他の実施形態は、信号処理部３００を、図４に示したタイプの情報ブロックから連続するシーケンスヘッダ間の符号化パラメータの変化に関する情報を解釈するように適合させることにより実現される。
【００４５】
ビデオデータ信号のシーケンスを再生する装置の次の実施形態は、先のいずれかの実施形態において信号処理部３００を、入力端子２０１を介してビデオデータ信号のシーケンスおよび／または対応するCPIを受信するように適合させることにより実現される。これにより、例えばインターネットから受信した対応するCPIを用いて、例えば読み出し部３０２から受信したビデオデータ信号のシーケンスを処理できるようになるので、当該装置の機能が拡張できる。
【００４６】
ビデオデータ信号のシーケンスを再生する装置のさらに別の実施形態は、読み出し部３０２が固体メモリタイプの記録担体からビデオデータ信号のシーケンスと対応するCPIの読み出しを実行できるように適合させることにより実現できる。
【００４７】
図６は、本発明による、図２に示した情報ブロックに対応するCPIを生成する方法の一実施形態を示す。ステップ５０２において、ピクチャのタイプを判断する。ピクチャがIピクチャである場合、ステップ５０４でシーケンスヘッダの有無をチェックする。シーケンスヘッダがIピクチャより先行しているとき、ステップ５０５でシーケンスヘッダ識別子４１SHIの値を２進数の「１」に設定し、さもなければSHIはステップ５０６で２進数の「０」に設定する。ステップ５０７において、表示時間スタンプPTSの値を決定する。ステップ５０８において、ソースパケットナンバ４３SPNの値が決定する。情報ブロックをステップ５０９で生成する。ステップ５１０において、ビデオデータのシーケンスにさらにピクチャがあるかどうかチェックする。さらにピクチャがあるとき、ステップ５１１で次のピクチャを分析する。
【００４８】
図７は、本発明による、図３に示した情報ブロックに対応したCPIを生成する方法の他の実施形態を示す。ステップ６０２において、ピクチャのタイプを判断する。ピクチャがIピクチャであるとき、ステップ６０４でシーケンスヘッダの有無をチェックする。シーケンスヘッダがIピクチャより先行しているとき、ステップ６０５でピクチャタイプインジケータ４４TYPの値を２進数の「３」に設定し、さもなければステップ６０６でTYPを２進数の「２」に設定する。ピクチャがPピクチャであるとき、ステップ６１１でシーケンスヘッダの有無をチェックする。シーケンスヘッダがPピクチャより先行しているとき、ピクチャインジケータ４４TYPの値は、ステップ６１２で２進数の「１」に設定される。ステップ６０７において、表示タイムスタンプ４２PTSの値を決定する。ステップ６０８で、ソースパケットナンバ４３SPNの値を決定する。ステップ６０９で情報ブロックが生成される。ステップ６１３で、ビデオデータのシーケンスにさらにピクチャがあるかどうかチェックする。さらにピクチャがあれば、ステップ６１４で次のピクチャを分析する。
【００４９】
図８は本発明による、図４に示した情報ブロックに対応したCPIを生成する方法の次の実施形態を示す。ステップ７０２で、ピクチャのタイプを決定する。ピクチャがIピクチャであるとき、ステップ７０４でシーケンスヘッダの有無をチェックする。シーケンスヘッダがIピクチャより先行しているとき、ステップ７０５で、ピクチャタイプインジケータ４４TYPの値を２進数の「３」に設定し、さもなければ、ステップ７１１で、TYPを２進数の「２」に設定する。ピクチャがPピクチャである場合、ステップ７１４でシーケンスヘッダの有無をチェックする。シーケンスヘッダがPピクチャより先行しているとき、ステップ７１５で、ピクチャタイプインジケータ４４TYPを２進数の「１」に設定する。ステップ７０６で、連続するシーケンスヘッダの間で符号化パラメータの変化があるかどうかをチェックする。符号化パラメータに変化があった場合、符号化パラメータ変化インジケータ４５CPCの値を２進数の「１」に設定し、さもなければ、その値を２進数の「０」に設定する。ステップ７０８で、表示タイムスタンプ４２PTSの値を決定する。ステップ７０９で、ソースパケットナンバ４３SPNの値を決定する。ステップ７１０で、情報ブロックを生成する。ステップ７１６で、ビデオデータのシーケンスにさらにピクチャがあるかどうかチェックする。さらにピクチャがあれば、ステップ７１７で次のピクチャを分析する。
【００５０】
図９はピクチャを伴うビデオデータ信号のシーケンスの一部を示す。ピクチャのポインタは既知の方法によりCPIに含むことができる。ビデオデータ信号のシーケンスは、複数のピクチャの情報よりなるピクチャのグループ２２（GOP）を有する。各GOPはIピクチャ２３（I）で始まり、Pピクチャ２５（P）とBピクチャ２４（B）を含むことができる。シーケンスヘッダ２１はSHQで示されている。図９において、参照番号２０は、ポインタをCPIに含めることができるピクチャを表す。
【００５１】
図１０は、ポインタを本発明によるCPIに含めることができる、ピクチャをともなうビデオデータのシーケンスの一部を示す。これらのピクチャは参照番号３０で表されている。
【００５２】
好ましい実施形態を参照して本発明を説明したが、これらは限定的な例ではないことを理解すべきである。よって、当該技術分野の当業者には、請求項により定められたように、本発明の範囲を逸脱することなく、様々な変更が可能なことが明らかであろう。さらに、本発明は、上に説明したすべての新規な特徴または特徴の組み合わせにある。本発明は、コンピュータプログラムを実行する汎用プロセッサ、専用のハードウェア、またはこれらの組み合わせにより実施してもよいことに注意すべきである。本明細書において、「有する」という言葉は、記載された以外の他の構成要素またはステップの存在を排除するものではない。また構成要素の前の「１つの」という言葉は、そのような構成要素が複数あることを排除するものではない。参照符号は請求項の範囲を限定するものではない。「手段」は単一または複数のアイテムいずれで表現されてもよく、いくつかの「手段」が同一のハードウェアアイテムにより表現されてもよいことに注意すべきである。
【図面の簡単な説明】
【００５３】
【図１】本発明によるビデオデータ信号のシーケンスを記録する装置の一実施形態を示す図である。
【図２】情報ブロックの構造の一例を示す図であり、当該情報ブロックはシーケンスヘッダの有無に関係する情報を含む。
【図３】ブロック情報の構造の一例を示す図であり、当該情報ブロックはピクチャのタイプとシーケンスヘッダの有無に関係する組み合わされた情報を含む。
【図４】情報ブロックの構造の一例を示す図であり、当該情報ブロックは符号化パラメータの変更に関係する情報を含む。
【図５】本発明による、ビデオデータ信号のシーケンスを再生する装置の一実施形態を示す。
【図６】図２に示したブロック情報の構造でCPIを生成する方法の一実施形態を示す図である。
【図７】図３に示したブロック情報の構造でCPIを生成する方法の一実施形態を示す図である。
【図８】図４に示したブロック情報の構造でCPIを生成する方法の一実施形態を示す図である。
【図９】ピクチャを有するビデオデータ信号のシーケンスの一部を示す図であり、当該シーケンスのポインタは既知の方法によりCPIに含めることができる。
【図１０】ピクチャを有するビデオデータ信号のシーケンスの一部を示す図であり、当該シーケンスのポインタは本発明によりCPIに含めることができる。
【図１】
2005516555.tif 000003
【図２】
2005516555.tif 000004
【図３】
2005516555.tif 000005
【図４】
2005516555.tif 000006
【図５】
2005516555.tif 000007
【図６】
2005516555.tif 000008
【図７】
2005516555.tif 000009
【図８】
2005516555.tif 000010
【図９】
2005516555.tif 000011
【図１０】
2005516555.tif 000012
【国際調査報告】
2005516555.tif 000013
2005516555.tif 000014